(57)【要約】【課題】埋設管路の防食性能を簡単に向上させること。【解決手段】埋設する金属管の外周にポリエチレンスリーブを被覆し、隣接するポリエチレンスリーブの端部同士を重ね合わせ、ポリエチレンスリーブの重ね合わせ部分の外周にゴムバンドを巻き付けてポリエチレンスリーブの端部からの浸水を防ぐ管路の防食構造において、管の外周とゴムバンドの内周の間に吸水膨潤材を設けた。  これにより、ポリエチレンスリーブの端部から内側へ浸水してきても、吸水膨潤材が膨張して水の進入路を塞ぐとともにゴムバンドによる締め付けが強くなり、埋設管路への浸水を止め、管路の腐食を防ぐことができる。【選択図】図１
2014190535.tif 000002
【特許請求の範囲】
【請求項１】
埋設する金属管の外周にポリエチレンスリーブを被覆し、隣接するポリエチレンスリーブの端部同士を重ね合わせ、ポリエチレンスリーブの重ね合わせ部分の外周に締め付け具を巻き付けてポリエチレンスリーブの端部からの浸水を防ぐ管路の防食構造であって、管の外周と締め付け具の内周の間に吸水膨潤材を設けたことを特徴とする管路の防食構造。
【請求項２】
請求項１に記載の管路の防食構造において、吸水膨潤材を締め付け具の内側に沿って全周に亘って設けたことを特徴とする管路の防食構造。
【発明の詳細な説明】
【技術分野】
【０００１】
本発明は、管路の防食構造に関し、より詳しくは、ポリエチレンスリーブを被覆して埋設する金属管から構成される管路の防食構造に関するものである。
【背景技術】
【０００２】
従来から、鋳鉄管などで構成される管路を地中に埋設する場合、腐食性土壌や地下水等と接触して管路の腐食や電食が進まないように、管路をポリエチレンスリーブで被覆する、いわゆるポリエチレンスリーブ工法が採られることがある。
【０００３】
この工法は、図４（ａ）に示すように、複数の管１，１，・・・を接合した管路の外周を、複数のポリエチレンスリーブ２，２，・・・で覆うものであり、隣接するポリエチレンスリーブの端部同士を管の軸方向に沿って重ね合わせ、管路が露出しないように全長に亘って被覆している。
【０００４】
ここで、ポリエチレンスリーブ２としては、メタロセン触媒等を用いて製造された、厚さ約０．２ｍｍの一般的な単層のポリエチレンシートを円筒状に成型したものが使用されている。
【０００５】
このポリエチレンスリーブ２は、管の継ぎ手部１ａのように外径が突出する部分も余裕を持って覆うために、管１の外径よりもかなり大きな径で作られている。そのため、管路に外装したポリエチレンスリーブを管の全周に密着させていくと余りがでるので、図４（ｂ）や図５に示すように、余った分は折り畳み、その折り畳み部分２ｂを管の外周に沿って巻き付けるようにテープ５で貼り付けたり、外からゴムバンド３などの締め付け具を巻き付けて管の外周に固定している。
【０００６】
また、埋設後に、各ポリエチレンスリーブの端からポリエチレンスリーブの中に地下水等が浸水しないように、重ね合わせたポリエチレンスリーブの端部２ａの外周にゴムバンド３などを巻き付け、ポリエチレンスリーブの端部を管の外周に締め付けて塞いでいる。
【０００７】
しかし、ゴムバンドによる締め付けやテープの貼付だけでは、ポリエチレンスリーブの端から中に浸水する場合がある。そのため、止水性能の向上を目的として、表面に多数の凹凸条を形成したポリエチレンスリーブを使用する技術が提案されている（例えば、特許文献１を参照）。
【０００８】
これによると、ゴムバンド等で外周から締め付けたときに、ポリエチレンスリーブの内表面に設けた凹凸条と管の外周が密着して止水性能が向上する、とされている。
【先行技術文献】
【特許文献】
【０００９】
【特許文献１】特開２００２−７１０８７号公報
【発明の概要】
【００１０】
しかしながら、ポリエチレンスリーブの表面に多数の凹凸条を形成することは製造コストの上昇を招き、さらに、高さが０．１ｍｍ程度の突条を設けただけでは充分な止水効果を得ることができない恐れもある。
【発明が解決しようとする課題】
【００１１】
本発明は、低コストで施工性にも優れ、高い止水効果が得られる防食構造を提供することを課題とする。
【課題を解決するための手段】
【００１２】
上記課題を解決するために、本発明の管路の防食構造は、埋設する金属管の外周にポリエチレンスリーブを被覆し、隣接するポリエチレンスリーブの端部同士を重ね合わせ、その重ね合わせた部分の外周に締め付け具（ゴムバンド）を巻き付けてポリエチレンスリーブの端部からの浸水を防ぐ管路の防食構造であって、管の外周と締め付け具（ゴムバンド）の内周との間に吸水膨潤材を設ける構成とした。
【００１３】
これにより、ポリエチレンスリーブの端部から浸水してきても、浸水との接触により吸水膨潤材が膨張して水の進入路を塞ぐと同時に締め付け具（ゴムバンド）の作用が強くなり、ポリエチレンスリーブ内への浸水を防ぐことができる。
【００１４】
また、本発明の管路の防食構造は、吸水膨潤材を締め付け具（ゴムバンド）の内周に沿って全周に亘って設ける構成とすることもできる。
これにより、ポリエチレンスリーブの端部からの浸水を全周に亘って防ぐことができる。
【発明の効果】
【００１５】
本発明に係る管路の防食構造によれば、ポリエチレンスリーブと管との間に吸水膨潤材を設け、外から締め付け具（ゴムバンド）を巻き付けるだけで、ポリエチレンスリーブの端から中に地下水等が浸水することを防ぐことができ、低コストで施工性にも優れ、高い止水効果を奏する防食構造を得ることができる。
【図面の簡単な説明】
【００１６】
【図１】本発明の第１実施形態を示す説明図である。
【図２】本発明の第１実施形態の要部を示す説明図であり、（ｂ）はＡ矢視の断面を表す。
【図３】本発明の他の実施形態の要部を示す説明図である。
【図４】従来の管路の防食構造を表す図であり、（ｂ）はＢ矢視の断面図である。
【図５】ポリエチレンスリーブを管の外周に固定する方法の説明図である。
【発明を実施するための形態】
【００１７】
以下、本発明の実施形態について、図１から図３の各図面に沿って説明を行う。なお、既述の背景技術と共通するものについては同じ符号を付け、重複する説明は省略する。
【００１８】
図１は、この発明の第１実施形態となる管路の防食構造を示す説明図である。
鋳鉄管１，１，・・・同士が接合されて一本の管路を構成しており、管路の外周には複数のポリエチレンスリーブ２，２，・・・が被されている。
隣接するポリエチレンスリーブ２の端部同士は、管継ぎ手部１ａ付近で、管の軸方向に沿って重ね合わされている。重ねられたポリエチレンスリーブの端部には、外からゴムバンド３（締め付け具）が巻き付けられ、内側のポリエチレンスリーブ等を鋳鉄管１の外面に締め付けている。
【００１９】
ポリエチレンスリーブの端部のうち、周囲の土壌や地下水等と直接接触する部分、すなわち、外表面に表れているポリエチレンスリーブの端部（外側端部２ａ１）の内側には、吸水膨潤材４が取り付けられている。
【００２０】
吸水膨潤材は、水と接触すると吸収して体積膨張を起こすものであり、ベントナイト、水膨張性アクリル樹脂、吸水性ポリウレタン樹脂、ビニルアルコール／アクリル酸共重合体をシート状や帯テープ状に成型したものが広く知られている。
【００２１】
ここでは、吸水膨潤材４は、重ねたポリエチレンスリーブの間に挟まれ、外側のポリエチレンスリーブを介してゴムバンド３によって、内側のポリエチレンスリーブの外面に強く締め付けられている。
【００２２】
また、この吸水膨潤材４は、矩形断面の帯状に成型されていて、図２（ｂ）に示すように、外側端部２ａ１の内面に沿うように貼り付けて一周させ、重ねたポリエチレンスリーブの間で全周に亘って取り付けられている。
【００２３】
このような構成においては、外側端部２ａ１とその内側のポリエチレンスリーブ外面との隙間から浸水した地下水は、まず吸水膨潤材４と接触する（図２（ａ）参照）。すると、吸水膨潤材４が水を吸収して体積を膨張させ、外側端部２ａ１と内側のポリエチレンスリーブとの隙間を埋めて密にシールし、そこから先への浸水を止める。
【００２４】
また、水を吸って吸水膨潤材４が膨らむと、その外径も大きくなるため、ゴムバンド３による、外周を締め付ける力が増えて、止水性が向上する。
【００２５】
さらに、施工面においても、吸水膨潤材をポリエチレンスリーブの端部の内側に取り付けて、外からゴムバンドで締め付けるだけで済むので、ポリエチレンスリーブの製造コストの上昇を招くことなく、作業の負担も大きくない。
【００２６】
図３は、この発明の他の実施形態を表す要部拡大図である。
同図（ａ）は、吸水膨潤材４が、各ポリエチレンスリーブの両端で、重ねたポリエチレンスリーブ２，２の間に取り付けられた構成の実施形態を表している。
【００２７】
同図（ｂ）は、各ポリエチレンスリーブの両端において、重ねたポリエチレンスリーブ２，２の間と、管１と内側ポリエチレンスリーブ２との間の両側に、吸水膨潤材４が取り付けられた構成の実施形態を表している。
【００２８】
同図（ｃ）は、ポリエチレンスリーブの端部のうち、管１の外面と直接接触する部分、すなわち、重ねたポリエチレンスリーブのうち、内側のポリエチレンスリーブの端部（内側端部２ａ２）の外側にのみ、吸水膨潤材４が取り付けられた構成の実施形態を表している。
【００２９】
吸水膨潤材４の取り付け方法は、前述の第１実施形態ではポリエチレンスリーブの端部内面に貼付してポリエチレンスリーブと一体化する方法を採っているが、この方法に限らず、ポリエチレンスリーブの端部の外面や管の外面に予め貼付して管やポリエチレンスリーブと一体化しても良いし、一体化せずに管やポリエチレンスリーブとは別物として取り付けても良い。
【００３０】
また、吸水膨潤材４は、図２（ｂ）において、矩形断面の帯状のものを一周させてリング形状としたものを例示したが、必ずしも全周に亘って取り付ける必要はなく、帯状やシート状に成型した吸水膨潤材を管の下側に半周だけ取り付けてＵ字形状のようにしても良い。
【００３１】
なお、上記の各実施形態では、締め付け具としてゴムバンドを例示したが、他にもポリエチレンスリーブ等を外から管の外周に締め付けるものであれば採用し得る。
【００３２】
また、各実施形態では、鋳鉄製の直管からなる管路の防食構造を例示したが、他にも鋼や銅製の管や曲がり管、分岐管等の異形管からなる管路にポリエチレンスリーブを被覆する場合にも、本発明の管路の防食構造を適用し得る。
【符号の説明】
【００３３】
１  管
１ａ  継ぎ手部
２  ポリエチレンスリーブ
２ａ  端部
２ａ１  外側端部
２ａ２  内側端部
２ｂ  折り畳み部
３  ゴムバンド（締め付け具）
４  吸水膨潤材
５  テープ
【図１】
2014190535.tif 000003
【図２】
2014190535.tif 000004
【図３】
2014190535.tif 000005
【図４】
2014190535.tif 000006
【図５】
2014190535.tif 000007